【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
撮影により記録された画像データに基づき、表示部に画像を表示させる画像表示装置において、
表示する前記画像データの撮影時の情報を取得する取得部と、
前記取得部が取得した情報に基づき、当該画像表示装置周囲の温度を制御する空調制御部を備えることを特徴とする画像表示装置。
【請求項２】
前記画像データの撮影時の情報は、撮影位置情報と撮影月日情報であることを特徴とする請求項１記載の画像表示装置。
【請求項３】
前記空調制御部は、導入した空気の温度を調整する温度調整部を有し、前記導入した空気の吹出風を送出する送風部とを含み、
前記取得部が取得した情報に基づき、前記送風部が送出する吹出風の設定温度を制御することを特徴とする請求項１または２記載の画像表示装置。
【請求項４】
前記空調制御部は、前記取得部が取得した情報に基づき、外部の空調装置の設定温度を制御することを特徴とする請求項１または２記載の画像表示装置。
【請求項５】
前記空調制御部は、前記取得部が取得した撮影時の情報に基づき、当該画像表示装置周囲の温度及び湿度を制御することを特徴とする請求項１から4の何れかに記載の画像表示装置。
【請求項６】
前記取得部は、撮影時の情報として画像データを取得し、
前記取得部が取得した画像データから表示内容を解析する画像解析部を更に備え、
前記空調制御部は、前記画像解析部による表示内容の解析結果に基づき、当該画像表示装置周囲の温度を制御することを特徴とする請求項１から５の何れかに記載の画像表示装置。
【請求項７】
前記取得部は、撮影時の情報として画像データに付加されている音声を取得し、
前記取得部が取得した音声を解析する音声解析部を更に備え、
前記空調制御部は、前記音声解析部による音声内容の解析結果に基づき、当該画像表示装置周囲の温度を制御することを特徴とする請求項１から６の何れかに記載の画像表示装置。
【請求項８】
相互に無線接続された画像表示装置と空調装置とからなる画像表示システムであって、
前記画像表示装置は、
撮影により記録された画像データに基づき、表示部に画像を表示させる表示制御部と、
前記画像データの撮影時の情報を取得する取得部と、
前記取得部が取得した撮影時の情報に基づき、前記空調装置に設定温度を無線送信する送信部とを備え、
前記空調装置は、
導入した空気の温度を調整する温度調整部を有し、前記導入した空気の吹出風を送出する送風部と、
前記画像表示装置の送信部から送信された前記設定温度を受信する受信部と、
前記受信部によって受信された設定温度に基づき、前記送風部が送出する吹出風の設定温度を制御する空調制御部と
を備えることを特徴とする画像表示システム。
【請求項９】
前記画像表示装置の送信部は、前記設定温度を赤外線信号により送信し、
前記空調装置の受信部は、前記赤外線信号により送信された設定温度を受信することを特徴とする請求項８記載の画像表示システム。
【請求項１０】
空調を制御する空調制御部を備える画像表示装置が有するコンピュータを、
撮影により記録された画像データに基づき、表示部に画像を表示させる画像表示装置において、
表示する前記画像データの撮影時の情報を取得する取得部と、
前記取得部が取得した情報に基づき、当該画像表示装置周囲の温度を制御する空調制御部として機能させることを特徴とするプログラム。
【請求項１１】
空調を制御する空調制御部を備える画像表示装置における画像表示方法であって、
撮影により記録された画像データに基づき、表示部に画像を表示させる画像表示装置において、
表示する前記画像データの撮影時の情報を取得する取得ステップと、
前記取得ステップが取得した情報に基づき、当該画像表示装置周囲の温度を制御する空調制御ステップを備えることを特徴とする画像表示方法。
【手続補正２】
【補正対象書類名】明細書
【補正対象項目名】０００９
【補正方法】変更
【補正の内容】
【０００９】
前記課題を解決するため、請求項１記載の発明に係る画像表示装置にあっては、撮影により記録された画像データに基づき、表示部に画像を表示させる画像表示装置において、表示する前記画像データの撮影時の情報を取得する取得部と、前記取得部が取得した情報に基づき、当該画像表示装置周囲の温度を制御する空調制御部を備えることを特徴とする。
【手続補正３】
【補正対象書類名】明細書
【補正対象項目名】００１０
【補正方法】変更
【補正の内容】
【００１０】
請求項２記載の発明に係る画像表示装置にあっては、前記画像データの撮影時の情報は、撮影位置情報と撮影月日情報であることを特徴とする。
【手続補正４】
【補正対象書類名】明細書
【補正対象項目名】００１１
【補正方法】変更
【補正の内容】
【００１１】
請求項３記載の発明に係る画像表示装置にあっては、前記空調制御部は、導入した空気の温度を調整する温度調整部を有し、前記導入した空気の吹出風を送出する送風部とを含み、前記取得部が取得した情報に基づき、前記送風部が送出する吹出風の設定温度を制御することを特徴とする。
【手続補正５】
【補正対象書類名】明細書
【補正対象項目名】００１２
【補正方法】変更
【補正の内容】
【００１２】
請求項４記載の発明に係る画像表示装置にあっては、前記空調制御部は、前記取得部が取得した情報に基づき、外部の空調装置の設定温度を制御することを特徴とする。
【手続補正６】
【補正対象書類名】明細書
【補正対象項目名】００１３
【補正方法】変更
【補正の内容】
【００１３】
請求項５記載の発明に係る画像表示装置にあっては、前記空調制御部は、前記取得部が取得した撮影時の情報に基づき、当該画像表示装置周囲の温度及び湿度を制御することを特徴とする。
【手続補正７】
【補正対象書類名】明細書
【補正対象項目名】００１４
【補正方法】変更
【補正の内容】
【００１４】
請求項６記載の発明に係る画像表示装置にあっては、前記取得部は、撮影時の情報として画像データを取得し、前記取得部が取得した画像データから表示内容を解析する画像解析部を更に備え、前記空調制御部は、前記画像解析部による表示内容の解析結果に基づき、当該画像表示装置周囲の温度を制御することを特徴とする。
【手続補正８】
【補正対象書類名】明細書
【補正対象項目名】００１５
【補正方法】変更
【補正の内容】
【００１５】
請求項７記載の発明に係る画像表示装置にあっては、前記取得部は、撮影時の情報として画像データに付加されている音声を取得し、前記取得部が取得した音声を解析する音声解析部を更に備え、前記空調制御部は、前記音声解析部による音声内容の解析結果に基づき、当該画像表示装置周囲の温度を制御することを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】変更
【補正の内容】
【００２７】
請求項８記載の発明に係る画像表示装置にあっては、相互に無線接続された画像表示装置と空調装置とからなる画像表示システムであって、前記画像表示装置は、撮影により記録された画像データに基づき、表示部に画像を表示させる表示制御部と、前記画像データの撮影時の情報を取得する取得部と、前記取得部が取得した撮影時の情報に基づき、前記空調装置に設定温度を無線送信する送信部とを備え、前記空調装置は、導入した空気の温度を調整する温度調整部を有し、前記導入した空気の吹出風を送出する送風部と、前記画像表示装置の送信部から送信された前記設定温度を受信する受信部と、前記受信部によって受信された設定温度に基づき、前記送風部が送出する吹出風の設定温度を制御する空調制御部とを備えることを特徴とする。
【手続補正２１】
【補正対象書類名】明細書
【補正対象項目名】００２８
【補正方法】変更
【補正の内容】
【００２８】
請求項９記載の発明に係る画像表示装置にあっては、前記画像表示装置の送信部は、前記設定温度を赤外線信号により送信し、前記空調装置の受信部は、前記赤外線信号により送信された設定温度を受信することを特徴とする。
【手続補正２２】
【補正対象書類名】明細書
【補正対象項目名】００２９
【補正方法】変更
【補正の内容】
【００２９】
請求項１０記載の発明に係る画像表示装置にあっては、空調を制御する空調制御部を備える画像表示装置が有するコンピュータを、撮影により記録された画像データに基づき、表示部に画像を表示させる画像表示装置において、表示する前記画像データの撮影時の情報を取得する取得部と、前記取得部が取得した情報に基づき、当該画像表示装置周囲の温度を制御する空調制御部として機能させることを特徴とする。
【手続補正２３】
【補正対象書類名】明細書
【補正対象項目名】００３０
【補正方法】変更
【補正の内容】
【００３０】
請求項１１記載の発明に係る画像表示装置にあっては、空調を制御する空調制御部を備える画像表示装置における画像表示方法であって、撮影により記録された画像データに基づき、表示部に画像を表示させる画像表示装置において、表示する前記画像データの撮影時の情報を取得する取得ステップと、前記取得ステップが取得した情報に基づき、当該画像表示装置周囲の温度を制御する空調制御ステップを備えることを特徴とする。